(57)【要約】【課題】かご内からの通報に対してより確実に応答することができるエレベータの非常通報装置を得る。【解決手段】かご操作盤１には、複数の行き先階釦２、戸開釦３及び戸閉釦４が設けられている。かごには、インターホン装置９及びかご制御盤１０が設けられている。かご制御盤１０には、行き先階登録ＣＰＵ１２と、インターホン装置９の通話先を特定する通話機能ＣＰＵ１３と、特定された通話先にインターホン装置９を接続するネットワーク制御装置１４と、各釦２〜４の操作情報をＣＰＵ１２に入力させる運転モード状態とＣＰＵ１３に各操作情報を入力させるダイヤルモード状態との間で切り替え可能なインターフェイス部１５とが搭載されている。ＣＰＵ１３は、運転モード状態では遠隔監視センタ２０を通話先として特定し、ダイヤルモード状態では各操作情報に基づいて通話先を特定する。【選択図】図２
2006103910.tif 000002
【特許請求の範囲】
【請求項１】
エレベータのかご内で操作される複数の操作釦、
上記かご内に設けられたインターホン装置、
上記かごが異常停止したときに、上記インターホン装置と通話可能に接続される外部通話装置を特定するための接続先特定装置、及び
上記接続先特定装置により特定された上記外部通話装置に公衆通信回線網を介して上記インターホン装置を接続する通信接続装置、
上記エレベータの運転を制御する運転制御装置に各上記操作情報を入力させる運転モード状態と、上記接続先特定装置に各上記操作情報を入力させるダイヤルモード状態との間で切り替え可能な切替手段
を備え、
上記接続先特定装置は、上記切替手段が上記運転モード状態であるときに遠隔監視センタに設けられた通話器を上記外部通話装置として特定し、上記切替手段が上記ダイヤルモード状態であるときに各上記操作情報に基づいて上記外部通話装置を特定するようになっていることを特徴とするエレベータの非常通報装置。
【請求項２】
上記通信接続装置は、上記公衆通信回線網を介して上記通話器に上記インターホン装置を接続した後、上記通話器による応答が阻止されたまま所定の時間が経過したときに、上記インターホン装置と上記公衆通信回線との間の接続を切断するようになっていることを特徴とする請求項１に記載のエレベータの非常通報装置。
【請求項３】
各上記操作釦の少なくとも一部は、上記かごの行き先階を指定するための行き先階釦であることを特徴とする請求項１又は請求項２に記載のエレベータの非常通報装置。
【請求項４】
上記かご内には、各上記操作情報を表示する表示装置が設けられていることを特徴とする請求項１乃至請求項３の何れかに記載のエレベータの非常通報装置。
【発明の詳細な説明】
【技術分野】
【０００１】
この発明は、エレベータの異常を通報するためのエレベータの非常通報装置に関するものである。
【背景技術】
【０００２】
従来、かご内のインターホンを監視センタへ直接接続する操作釦が管理室の電話器に設けられているエレベータの非常通報装置が提案されている。インターホンは、管理室の電話器による応答後に操作釦が操作されることにより、電話回線を介して監視センタへ接続されるようになっている。また、インターホンからの通報に対して管理室の電話器が所定時間応答しないときには、監視センタへ電話回線を介して自動的に接続されるようになっている（特許文献１参照）。
【０００３】
【特許文献１】特開２０００−３０２３４６号公報
【発明の開示】
【発明が解決しようとする課題】
【０００４】
しかし、何らかの理由で、インターホンからの通報に対して監視センタが応答できないときには、エレベータの異常に対して迅速に対処することができなくなってしまう。
【０００５】
この発明は、上記のような問題点を解決することを課題としてなされたものであり、かご内からの通報に対してより確実に応答することができるエレベータの非常通報装置を得ることを目的とする。
【課題を解決するための手段】
【０００６】
この発明に係るエレベータの非常通報装置は、エレベータのかご内で操作される複数の操作釦、かご内に設けられたインターホン装置、かごが異常停止したときに、インターホン装置と通話可能に接続される外部通話装置を特定するための接続先特定装置、及び接続先特定装置により特定された外部通話装置に公衆通信回線網を介してインターホン装置を接続する通信接続装置、エレベータの運転を制御する運転制御装置に各操作情報を入力させる運転モード状態と、接続先特定装置に各操作情報を入力させるダイヤルモード状態との間で切り替え可能な切替手段を備え、接続先特定装置は、切替手段が運転モード状態であるときに遠隔監視センタに設けられた通話器を外部通話装置として特定し、切替手段がダイヤルモード状態であるときに各操作情報に基づいて外部通話装置を特定するようになっている。
【発明の効果】
【０００７】
この発明に係るエレベータの非常通報装置では、切替手段が運転モード状態であるときに外部通話装置として遠隔監視センタに設けられた通話器が特定され、切替手段がダイヤルモード状態であるときに操作釦からの各操作情報に基づいて外部通話装置が特定されるようになっているので、何らかの原因で、遠隔監視センタの通話器による応答がなかった場合であっても、切替手段による切り替えにより、操作釦を電話器のプッシュ釦として用いることができ、かご内の乗客が指定する外部通話装置への通話をかご内から行うことができる。これにより、かご内からの通報に対してより確実に応答することができる。
【発明を実施するための最良の形態】
【０００８】
実施の形態１．
図１は、この実施の形態１によるエレベータのかご操作盤を示す正面図である。また、図２は、この発明の実施の形態１によるエレベータの非常通報装置を示す構成図である。図において、昇降路内には、乗客を運搬するためのかご（図示せず）が昇降されるようになっている。かご内には、かご操作盤１が設けられている。かご操作盤１には、行き先階が表示された複数の操作釦である行き先階釦２と、エレベータ出入口を開閉するための操作釦である戸開釦３及び戸閉釦４と、かごが異常停止したときにかご内で操作される非常釦５及び緊急釦６とが設けられている。
【０００９】
また、かご操作盤１の上部には、かご内に情報を表示するためのＬＣＤ表示装置７が設けられている。さらに、かご操作盤１の下部には、かご操作盤１の操作の説明が表示された操作説明板８が設けられている（図２）。
【００１０】
かご内には、かご内の乗客へ音声により情報を提供するためのインターホン装置９が設けられている。また、かごには、かご操作盤１の操作による情報が入力されるかご制御盤１０が搭載されている。さらに、昇降路内には、かご制御盤１０に電気的に接続されたエレベータ制御装置１１が設けられている。
【００１１】
かご制御盤１０には、エレベータ制御装置１１との間で情報のやり取りを行うかご側制御部である行き先階登録ＣＰＵ１２と、かごが異常停止したときにインターホン装置９と通話可能に接続される外部通話装置を特定するための接続先特定装置である通話機能ＣＰＵ１３と、通話機能ＣＰＵ１３により特定された外部通話装置に電話回線網（公衆通信回線網）１９を介してインターホン装置９を接続する通信接続装置であるネットワーク制御装置（ＮＣＵ）１４と、各行き先階釦２、戸開釦３、戸閉釦４、非常釦５及び緊急釦６の操作による操作情報を行き先階登録ＣＰＵ１２及び通話機能ＣＰＵ１３のいずれかに選択的に入力可能にする切替手段であるインターフェイス部１５とが搭載されている。
【００１２】
インターフェイス部１５は、緊急釦６の投入により通電されるリレーコイル１６と、リレーコイル１６の通電により動作される複数のリレー接点１７ａ〜１７ｉと、リレーコイル１６への通電を停止するためのリセットスイッチ１８とを有している。また、インターフェイス部１５は、緊急釦６の操作により、リレーコイル１６への通電が停止された運転モード状態と、リレーコイル１６への通電が保持されたダイヤルモード状態との間で切り替え可能になっている。
【００１３】
運転モード状態では、各行き先階釦２、戸開釦３及び戸閉釦４のそれぞれがリレー接点１７ｂ〜１７ｉを介して行き先階登録ＣＰＵ１２に電気的に接続され、非常釦５がリレー接点１７ａを介して通話機能ＣＰＵ１３に電気的に接続されている。即ち、運転モード状態では、各行き先階釦２、戸開釦３及び戸閉釦４のそれぞれの操作情報が行き先階登録ＣＰＵ１２に入力可能になっている。
【００１４】
ダイヤルモード状態では、各行き先階釦２、戸開釦３及び戸閉釦４のそれぞれがリレー接点１７ｂ〜１７ｉを介して通話機能ＣＰＵ１３に電気的に接続されている。また、行き先階登録ＣＰＵ１２及び通話機能ＣＰＵ１３に対する非常釦５の電気的接続は、リレー接点１７ａにより断路されている。即ち、ダイヤルモード状態では、各行き先階釦２、戸開釦３及び戸閉釦４のそれぞれの操作情報が通話機能ＣＰＵ１３に入力可能で、かつ非常釦５からの操作情報が行き先階登録ＣＰＵ１２及び通話機能ＣＰＵ１３のいずれにも入力されないようになっている。
【００１５】
また、運転モード状態では、各行き先階釦２、戸開釦３及び戸閉釦４のそれぞれの操作情報が、エレベータの運転を制御するための運転情報として行き先階登録ＣＰＵ１２に入力されるようになっている。行き先階登録ＣＰＵ１２は、エレベータ制御装置１１との間で情報のやり取りを行いながら、運転情報に基づいてエレベータの運転を制御するようになっている。即ち、エレベータの運転を制御する運転制御装置は、エレベータ制御装置１１及び行き先階登録ＣＰＵ１２により構成されている。
【００１６】
通話機能ＣＰＵ１３は、行き先階登録ＣＰＵ１２及びネットワーク制御装置１４のそれぞれに電気的に接続されている。通話機能ＣＰＵ１２は、運転モード状態において非常釦５が投入されたときに、遠隔監視センタ２０に設けられた設定電話器（通話器）２１を外部通話装置として特定するようになっている。なお、遠隔監視センタ２０は、エレベータの状態を遠隔から監視する施設である。
【００１７】
ダイヤルモード状態では、各行き先階釦２、戸開釦３及び戸閉釦４のそれぞれの操作情報が、外部通話装置を特定するためのダイヤル情報として通話機能ＣＰＵ１３に入力されるようになっている。通話機能ＣＰＵ１３には、ダイヤル情報が登録されるようになっている。通話機能ＣＰＵ１３は、登録されたダイヤル情報に基づいて、通話対象である指定電話器２２を外部通話装置として特定するようになっている。即ち、ダイヤルモード状態では、各行き先階釦２、戸開釦３及び戸閉釦４が電話器のプッシュ釦としての機能を果たすようになっている。
【００１８】
インターホン装置９は、運転モード状態において非常釦５が投入されたときに、ネットワーク制御装置１４により電話回線網１９を介して設定電話器２１に接続されるようになっている。また、インターホン装置９は、ダイヤルモード状態においてダイヤル情報が通話機能ＣＰＵ１３に入力されたときに、ネットワーク制御装置１４により電話回線網１９を介して指定電話器２２に接続されるようになっている。
【００１９】
ネットワーク制御装置１４は、所定の時間内（例えば、３〜５分以内）に設定電話器２１の応答がないときに、インターホン装置９と電話回線網１９との間の接続を強制的に切断する強制回路切断手段２３を有している。これにより、ネットワーク制御装置１４は、インターホン装置９を電話回線網１９に何度でも接続可能となる。
【００２０】
なお、この例では、操作説明板８に以下の事項が記載されている。
１．かご内で病人等が発生した際、”緊急”釦を押して下さい。
２．各行き先階釦及び開閉釦を下記の要領で押して下さい。
３．例えば、１は電話番号の”１”になります。また、”開”釦が”＋”に、”閉”釦が”−”になります。例：”２”がないとき→”１”釦と”開”釦を押して下さい。
４．入力した番号を確定する場合は、開閉釦を同時に１回押して下さい。また、キャンセルする場合は、開閉釦を同時に２回押して下さい。
５．上記２〜４の操作を繰り返して通話先の電話番号を入力して下さい。
６．最後に開閉釦を同時に３回押して下さい。
【００２１】
また、ＬＣＤ表示装置７は、操作説明板８に記載された要領に従って通話機能ＣＰＵ１３に入力されたダイヤル情報を電話番号として表示するようになっている。さらに、ＬＣＤ表示装置７は、エレベータ制御装置１１からの情報に基づいて、例えばかごが異常停止した原因等、かご内の乗客にとって有用な情報を表示するようになっている。
【００２２】
次に、動作について説明する。図３は、図２のエレベータの非常通報装置の動作を説明するフローチャートである。まず、かごが異常停止したか否かがエレベータ制御装置１１により判定される（Ｓ１）。異常停止でないときには、通常運転が続行される。かごが異常停止したときには、エレベータ制御装置１１からの情報に基づいて、かごの異常停止の情報が表示装置７により表示される。
【００２３】
この後、非常釦５が押されたか否かが行き先階登録ＣＰＵ１２及び通話機構ＣＰＵ１３により判定される（Ｓ２）。非常釦５が押されていないときには、かごが異常停止された状態が維持される。また、かご内の乗客により非常釦５が押されると、通話機能ＣＰＵ１３により、遠隔監視センタ２０の設定電話器２１が通話先として特定され、ネットワーク制御装置１１により、インターホン装置９が電話回線網１９を介して設定電話器２１に接続される。
【００２４】
この後、所定の時間内に設定電話器２１によって応答されたか否かがネットワーク制御装置１４により判定される（Ｓ３）。応答があったときには、かご内の乗客と遠隔監視センタ２０のセンタ員との間で通話される。
【００２５】
設定電話器２１による応答がなかったとき、即ちインターホン装置９からの呼び出しを開始してから所定の時間が経過しても応答がないときには、インターホン装置９と電話回線網１９との間の接続が強制回線切断手段２３により強制的に切断される（Ｓ４）。
【００２６】
この後、緊急釦６が押されたか否かが行き先階登録ＣＰＵ１２及び通話機構ＣＰＵ１３により判定される（Ｓ５）。緊急釦６が押されていないときには、インターホン装置９から設定電話器２１への呼び出しが可能な運転モード状態が維持される。即ち、運転モード状態では、非常釦５を押すことにより、インターホン装置９から設定電話器２１への呼び出しを何度も行うことができる。
【００２７】
かご内の乗客により緊急釦６が押されると、インターフェイス部１５の状態が運転モード状態からダイヤルモード状態へ切り替えられる（Ｓ６）。これにより、各行き先階釦２、戸開釦３及び戸閉釦４のそれぞれの操作情報が、指定電話器２２を特定するためのダイヤル情報として通話機能ＣＰＵ１３に入力可能になる。
【００２８】
この後、ダイヤル情報が通話機能ＣＰＵ１３に入力されているが否かが通話機能ＣＰＵ１３により判定される（Ｓ７）。ダイヤル情報の入力が完了していないときには、ダイヤル情報の入力が完了するまで、ダイヤル情報が通話機能ＣＰＵ１３に入力可能な状態が維持される。
【００２９】
ダイヤル情報の入力が完了したときには、通話機能ＣＰＵ１３により、ダイヤル情報に基づいて通話先として指定電話器２２が特定され、ネットワーク制御装置１１により、インターホン装置９が電話回線網１９を介して指定電話器２２に接続される（Ｓ８）。なお、リセットスイッチ１８の操作により、ダイヤルモード状態が解除される。
【００３０】
次に、通話機能ＣＰＵ１３にダイヤル情報を入力するときの手順について説明する。緊急釦６を押した後、操作説明板８に表示された説明に従って操作する。即ち、行き先階釦２を電話器のプッシュ釦とみなし、行き先階釦２に表示された数字が指定電話器２２の電話番号となるように行き先階釦２を順に押す。
【００３１】
行き先階釦２に表示された数字の中に電話番号に含まれる数字がないときには、戸開釦３及び戸閉釦４のいずれかを押すことにより、数字の増減を行う。
【００３２】
入力した番号を確定するときには、戸開釦３及び戸閉釦４を同時に１回押す。また、入力した番号をキャンセルするときには、戸開釦３及び戸閉釦４を同時に２回押す。このとき、ＬＣＤ表示装置７には、入力された電話番号が表示される。
【００３３】
このようにして、指定電話器２２の電話番号をすべて入力したときには、戸開釦３及び戸閉釦４を同時に３回押す。これにより、入力された電話番号は確定し、インターホン装置９から指定電話器２２への接続が可能になる。
【００３４】
このようなエレベータの非常通報装置では、各行き先階釦２、戸開釦３及び戸閉釦４の各操作情報を行き先階登録ＣＰＵ１２に入力させる運転モード状態と、各操作情報を通話機能ＣＰＵ１３に入力させるダイヤルモード状態との間でインターフェイス部１５の状態が切り替え可能になっており、通話機能ＣＰＵ１３は、インターフェイス部１５が運転モード状態であるときにインターホン装置９の接続先を設定電話器２１に特定し、インターフェイス部１５がダイヤルモード状態であるときにインターホン装置９の接続先を各操作情報に基づいて指定電話器２２に特定するようになっているので、何らかの原因で、設定電話器２１による応答がなかった場合であっても、インターフェイス部１５による状態の切り替えにより、かご操作盤１をプッシュ釦式の電話器として用いることができ、かご内の乗客が指定する指定電話器２２への通話をかご内から行うことができる。これにより、かご内から緊急連絡先（例えば自宅や会社、病院等）への非常通報をより確実に行うことができる。
【００３５】
また、ネットワーク制御装置１４は、インターホン装置９と設定電話器２１との間での通話が所定の時間内に不可能であるとき、インターホン装置９と電話回線網１９との間の接続を切断するようになっているので、インターホン装置９から設定電話器２１への呼び出しを再度行うことができる。また、運転モード状態からダイヤルモード状態にインターフェイス部１５を切り替えることにより、指定電話器２２への呼び出しも行うことができ、かご内からの非常通報をさらに確実に緊急連絡先に行うことができる。
【００３６】
また、かごの行き先を指定するための各行き先階釦２がダイヤル情報の入力のためにかご内で操作されるようになっているので、各行き先階釦２に表示される数字を電話番号の数字に対応させることができ、電話番号の入力の操作を容易に行うことができる。また、ダイヤル情報の入力のための釦を新たに設ける必要がなくなるので、コストの低減を図ることができる。
【００３７】
また、かご操作盤１には、ダイヤル情報を電話番号として表示するＬＣＤ表示装置７が設けられているので、ダイヤル情報の通話機能ＣＰＵ１３への入力状況を確認しながら操作することができ、ダイヤル情報の入力の誤りを防止することができる。
【図面の簡単な説明】
【００３８】
【図１】この発明の実施の形態１によるエレベータのかご操作盤を示す正面図である。
【図２】この発明の実施の形態１によるエレベータの非常通報装置を示す構成図である。
【図３】図２のエレベータの非常通報装置の動作を説明するフローチャートである。
【符号の説明】
【００３９】
２  行き先階釦（操作釦）、３  戸開釦（操作釦）、４  戸閉釦（操作釦）、７  ＬＣＤ表示装置、９  インターホン装置、１１  エレベータ制御装置（運転制御装置）、１２  行き先階登録ＣＰＵ（運転制御装置）、１３  通話機能ＣＰＵ（接続先特定装置）、１４  ネットワーク制御装置（通信接続装置）、１５  インターフェイス部（切替手段）、１９  電話回線網（公衆通信回線網）、２０  遠隔監視センタ、２１  設定電話器（通話器）。
【図１】
2006103910.tif 000003
【図２】
2006103910.tif 000004
【図３】
2006103910.tif 000005